【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
バケットの対向する側壁間を延びる長さを有する鋳造体を備えた、掘削バケット用のリップであって、
前記鋳造体は、前記リップの前記長さに沿って延びて使用中に掘り出しに対して抵抗をもたらす前部横材および後部横材であって、それぞれがほぼ連続して途切れることなく前記リップの長さに実質上沿って延びる前記前部および後部横材と、
前記前部および後部の横材を一緒に結合し、前記バケット内へと土質材料がその上を通過する上部表面を画定する上部パネルと、
前記前部および後部横材間を延びる複数のリブと、を備え、
前記前部および後部横材は前記上部パネルより厚く、前記リブに沿って、前記上部パネル下方の、前記前部および後部の横材間に凹部を画定し、各々の前記凹部は前記上部パネルから離間する方向に開口する、リップ。
【請求項２】
前記鋳造体は、前記前部横材の前方向に延びる、地面係合工具を装着するための鼻部を含む、請求項１に記載のリップ。
【請求項３】
各々の前記リブは、前記鼻部の１つと全般的に位置合わせ状態にある、請求項３に記載のリップ。
【請求項４】
前記凹部の上方にある前記上部パネルの厚さが、前記前部横材の、その最も厚い地点にある前記リップの厚さの２５％未満である、請求項１に記載のリップ。
【請求項５】
前記凹部の上方にある前記上部パネルの厚さが、前記後部横材の、その最も厚い地点にある厚さの５０％未満である、請求項１に記載のリップ。
【請求項６】
前記前部横材が、２つの端部間の中央部分を有し、前記前部横材は、前記中央部分が前記端部よりさらに前方向に突出して弓曲状にされる、請求項１に記載のリップ。
【請求項７】
バケットの側壁間を延びる長さを有する、掘削バケット用のリップであって、
それぞれがほぼ連続して途切れることなく前記リップの長さに実質上沿って延びる前部横材および後部横材と、
前記前部および後部横材間を延び、前記バケット内へと土質材料がその上を通過する上部表面を画定する上部パネルであって、前記前部および後部横材と一体に鋳造された上部パネルと、
総合的には、前記凹部の合計の総合容積を含む前記リップの合計容積の少なくとも１５パーセントである１つまたは複数の凹部と、を含む支持構造体から成るリップ。
【請求項８】
少なくとも２つの前記凹部を画定するために前記前部および後部の横材を相互連結する少なくとも１つのリブを含む、請求項１０に記載のリップ。
【請求項９】
掘り出し作業中、土質材料を受け入れるための空洞を画定する本体と、前記本体に溶接され、バケットの対向する側壁間を延びる長さを有するリップとを備える、掘削バケットであって、
前記リップが、それぞれがほぼ連続して途切れることなく前記リップの長さに実質上沿って延びる前部横材および後部横材と、
前記前部および後部の横材を一緒に結合し、前記バケット内へと土質材料がその上を通過する上部表面を画定する上部パネルと、
複数の凹部を前記上部パネルの下方の、前記前部および後部の横材間に画定するように、前記前部および後部横材間を相互連結し、渡す少なくとも１つのリブとを含み、
少なくとも前記前部および後部横材と上部パネルとが一体に鋳造された、掘削バケット。
【請求項１０】
前記リップが、前記前部横材の前方向に延びる、地面係合工具を装着するための鼻部を含む、請求項９に記載の掘削バケット。
【請求項１１】
前記凹部にある前記リップの厚さが、前記前部横材の、その最も厚い地点にある前記リップの厚さの２５％未満である、請求項９に記載の掘削バケット。
【請求項１２】
前記凹部にある前記リップの厚さが、前記後部横材の、その最も厚い地点にある厚さの５０％未満である、請求項９に記載の掘削バケット。
【請求項１３】
前記前部および後部の横材がそれぞれ、前記リップの前記長さに沿ってほぼ連続的な延長部を有する、請求項９に記載の掘削バケット。
【請求項１４】
前記前部横材が、２つの端部間に中央部分を有し、前記前部横材は、前記中央部分が前記端部よりさらに前方向に突出して弓曲状にされる、請求項９に記載の掘削バケット。
【請求項１５】
前記前部横材が、２つの端部間に中央部分を有し、前記前部横材は、その前記端部が、前記中央部分よりさらに前方向に突出して弓曲状にされる、請求項９に記載の掘削バケット。
【請求項１６】
前記本体が、対向する側壁と、前記側壁と接合して前記空洞を画定する１つまたは複数の基部壁とを含み、前記リップが、前記基部壁および前記側壁の両方に溶接されて掘り出し前縁を画定する、請求項９に記載の掘削バケット。
【請求項１７】
掘り出し作業中、土質材料を受け入れるための空洞を画定する本体と、前記本体に溶接され、バケットの対向する側壁間を延びる長さを有するリップとを備える、掘削バケットであって、前記リップが、地面係合工具を装着するための装着部分と、一体に鋳造され、それぞれがほぼ連続して途切れることなく前記側壁間を延びる前部横材および後部横材を有する前記装着部分の後方向の支持部分とを含み、前記支持部分が、総合的には、凹部の合計の総合容積を含む前記リップの合計容積の少なくとも１５パーセントである、前記前部および後部横材間の１つまたは複数の凹部を含む、掘削バケット。
【請求項１８】
前記リップの鋳造体は、互いに溶接された複数の鋳造体から成る、請求項１に記載のリップ。
【請求項１９】
凹部は、総合的には、凹部の合計の総合容積を含む前記リップの合計容積の少なくとも１５パーセントを画定する、請求項１に記載のリップ。
【請求項２０】
前記前部横材は前記後部横材より厚い、請求項１に記載のリップ。
【請求項２１】
前記リブは前記鼻部より薄い、請求項３に記載のリップ。
【請求項２２】
各々の前記リブは前記鼻部の１つと全般的に位置合わせ状態にある、請求項２１に記載のリップ。
【請求項２３】
前記前部横材の前方向に突出する鼻部と、前記前部および後部横材間を延びるリブとを含む、請求項７に記載のリップ。
【請求項２４】
前記リブは前記鼻部より薄い、請求項２３に記載のリップ。
【請求項２５】
各々の前記リブは前記鼻部の１つと全般的に位置合わせ状態にある、請求項２４に記載のリップ。
【請求項２６】
バケットの対向する側壁間を延びる長さを有する鋳造体を備えた、掘削バケット用のリップであって、前記鋳造体は、前記リップの前記長さに沿って延びて使用中に掘り出しに対して抵抗をもたらす前部横材および後部横材であって、それぞれがほぼ連続して途切れることなく前記リップの長さに実質上沿って延びる前記前部および後部横材と、前記前部および後部横材を一緒に結合し、前記バケット内へと土質材料がその上を通過する上部表面を画定する上部パネルと、前記前部および後部横材間を延びる複数のリブと、を備え、前記前部および後部横材は前記上部パネルより厚く、前記リブに沿って、前記上部パネル下方の、前記前部および後部の横材間に凹部を画定する、リップ。
【請求項２７】
前記前部横材の前方に突出する鼻部と、前記前部および後部横材間を延びるリブとを含む、請求項２６に記載のリップ。
【請求項２８】
前記リブは前記鼻部より薄い、請求項２７に記載のリップ。
【請求項２９】
各々の前記リブは前記鼻部の１つと全般的に位置合わせ状態にある、請求項２８に記載のリップ。
【請求項３０】
凹部は、総合的には、凹部の合計の総合容積を含む前記リップの合計容積の少なくとも１５パーセントである、請求項２５に記載のリップ。
【請求項３１】
バケットの側壁間を延びる長さを有する、掘削バケット用のリップであって、前記リップの長さに沿って延びる前部横材および後部横材と、前記前部および後部横材間を延び、前記バケット内へと土質材料がその上を通過する上部表面を画定する上部パネルと、総合的には、前記凹部の合計の総合容積を含む前記リップの合計容積の少なくとも１５パーセントである、前記前部および後部横材間の１つまたは複数の凹部と、を含む鋳造体から成るリップ。
【請求項３２】
前記前部横材の前方に突出する鼻部と、前記前部および後部横材間を延びるリブとを含む、請求項３１に記載のリップ。
【請求項３３】
前記リブは前記鼻部より薄い、請求項３２に記載のリップ。